(57)【要約】      （修正有）【課題】トリガーレバーを安定的に支持し、液体を安定的に噴出するトリガー式液体噴出器を提供する。【解決手段】トリガーレバー１５をトリガーボディ１４の外側に回動自在に配置するに際し、トリガーボディ１４の射出筒１４Ｃにおける前方側の両外側部に回転軸５１を設け、トリガーレバー１５の上端部の２又状枢着部１５Ａを両回転軸５１に回動自在に枢着し、トリガーレバー１５の枢着部１５Ａに設けた孔をトリガーボディ１４の回転軸５１に係入する。【選択図】  図２
2004230346.tif 000002
【特許請求の範囲】
【請求項１】
トリガーボディの外側に配置されるトリガーレバーの回転軸を、トリガーボディに枢着したトリガー式液体噴出器。
【請求項２】
トリガーボディを覆うシュラウドの内側に配置されるトリガーレバーの回転軸を、シュラウドに枢着したトリガー式液体噴出器。
【発明の詳細な説明】
【０００１】
【発明の属する技術分野】
本発明はトリガー液体噴出器に関する。
【０００２】
【従来の技術】
特許文献１に記載の如く、トリガー液体噴出器では、トリガーボディの外側に配置したトリガーレバーの引き操作により、液体を噴出可能にする。従来技術では、トリガーボディの射出筒の前端外径部に連結筒を嵌合し、連結筒の前端外径部にノズルを嵌合し、射出筒に設けたフランジと連結筒の後端との間で、トリガーレバーの回転軸を挟み込状態で支持している。
【０００３】
【特許文献１】
特開平８−３３８３５８（［００１３］、図１）
【０００４】
【発明が解決しようとする課題】
従来技術では、トリガーレバーの回転軸をトリガーボディの射出筒に設けたフランジと連結筒の後端との間に挟みこんでいる。ところが、射出筒と連結筒は嵌合関係にあり、噴出液が界面活性剤、次亜塩素酸ナトリウム等を含有するときには、それらの接液部材の環境応力破壊を防止するため、それらの嵌合を強くすることができない。このため、トリガーレバーを引くと、この引き操作に基づく回転モーメントが射出筒と連結筒の間の回転軸に及び、嵌合の弱い連結筒を射出筒から押出す如くに外してしまう虞がある。この場合、液体の噴出不能、液体の飛散による周辺汚損を生ずる。
【０００５】
本発明の課題は、トリガー式液体噴出器において、トリガーレバーを安定的に支持し、液体を安定的に噴出することにある。
【０００６】
【課題を解決するための手段】
請求項１の発明は、トリガーボディの外側に配置されるトリガーレバーの回転軸を、トリガーボディに枢着したトリガー式液体噴出器である。
【０００７】
【発明の実施の形態】
トリガー式液体噴出器１０は、図１に示す如く、容器１１の開口部に接続される通液体１２を、該容器１１に螺着されるキャップ１３により該容器１１に固定する。トリガー式液体噴出器１０は、通液体１２にトリガーボディ１４を嵌合して一体化し（通液体１２とトリガーボディ１４は一体成形されても可）、トリガーボディ１４の主筒１４Ａをキャップ１３の側から起立し、主筒１４Ａの中間部から前方にシリンダ筒１４Ｂを突設し、主筒１４Ａの上端部から前方に射出筒１４Ｃを突設している。
【０００８】
トリガー式液体噴出器１０は、トリガーレバー１５の上端部をトリガーボディ１４の射出筒１４Ｃにおける前方側の両外側部に回動自在に枢着し、シリンダ筒１４Ｂに嵌合させたプランジャ１７の前端部にトリガーレバー１５の中間部の後面を係合させ、シリンダ筒１４Ｂに内蔵のスプリング１８によりプランジャ１７を介してトリガーレバー１５を前方に弾発させる。
【０００９】
トリガー式液体噴出器１０は、トリガーボディ１４の射出筒１４Ｃの前端小外径部に連結筒１９を嵌合し、連結筒１９の前端外径部にノズル２０を回動自在に嵌合する。ノズル２０は回動操作レバー２０Ａを備える。トリガー式液体噴出器１０は、回動操作レバー２０Ａによるノズル２０の回動で、連結筒１９とノズル２０が形成する液体吐出路を切換え開閉自在にする。
【００１０】
トリガー式液体噴出器１０は、容器１１の内部に延びるディップチューブ２１を通液体１２の下端部に挿着し、通液体１２の内部に入側逆止弁２２、出側逆止弁２３を設けている。
【００１１】
これにより、トリガー式液体噴出器１０にあっては、トリガーレバー１５の引き操作に基づくプランジャ１７の加圧動作により、シリンダ筒１４Ｂ内の液体を出側逆止弁２３経由でノズル２０から噴出する。また、トリガーレバー１５の引き操作解除に基づくプランジャ１７の戻り動作で、容器１１内の液体を入側逆止弁２２経由でシリンダ筒１４Ｂに吸込む。
【００１２】
トリガー式液体噴出器１０は、図１に示す如く、トリガーボディ１４に支持されて該トリガーボディ１４の上面部、背面部及び両側面部を覆うシュラウド３０により、ノズル２０の上側と、両側部（図１では両側部のうちの上側寄り部分、但し、両側部の全部でも可）を覆い、シュラウド３０とトリガーボディ１４との間に緩衝手段４０を介装した。
【００１３】
シュラウド３０は、トリガーボディ１４の主筒１４Ａにおける後方から、主筒１４Ａ、シリンダ筒１４Ｂ及び射出筒１４Ｃを覆うように被着可能にされ、主筒１４Ａに相対する背面３１、背面３１の上部から射出筒１４Ｃに沿ってノズル２０の前端部まで延びる天面３２、背面３１の下部から主筒１４Ａの後部まで延びる底面３３、背面３１、天面３２及び底面３３の両側縁から延びてトリガーボディ１４の全体（主筒１４Ａ、シリンダ筒１４Ｂ及び射出筒１４Ｃ）及びノズル２０の前端部を覆う両側面３４を備える。シュラウド３０の天面３２及び両側面３４の前側部分は、ノズル２０の前端部の前方位置（又は前端部と面一位置）まで延在し、ノズル２０の周囲の全周に対し空隙Ｇを介する。
【００１４】
シュラウド３０の天面３２の内面に設けた上係止部３５Ａをトリガーボディ１４の主筒１４Ａ又は射出筒１４Ｃの上面に設けた係止部３５Ｂに係止し、底面３３の前端側内面に設けた下係止部３６Ａをトリガーボディ１４の主筒１４Ａの後面に設けた係止部３６Ｂに係止することにより、シュラウド３０をトリガーボディ１４に係止固定状態で支持する。
【００１５】
緩衝手段４０は、トリガーボディ１４の射出筒１４Ｃにおいてノズル２０（本実施形態ではノズル２０及び連結筒１９）が被着された部分の直近の後部で、該射出筒１４Ｃの上面の頂部を周方向で挟む２箇所のそれぞれに一体成形され、射出筒１４Ｃの斜め上方に向けて突設されたリブ４１、４１にて構成される。各リブ４１はシュラウド３０の天面３２の内面に当接（又は微小間隙を介して対向）配置される。
【００１６】
尚、本発明において、「上側」、「上方」とは、トリガー式液体噴出器１０を設けた容器１１を水平面状に正立させたときの鉛直上方をいう。
【００１７】
しかるに、トリガー式液体噴出器１０にあっては、トリガーレバー１５をトリガーボディ１４の外側に回動自在に配置するに際し、図２、図３に示す如く、トリガーボディ１４の射出筒１４Ｃにおける前方側の両外側部に回転軸５１を設け、トリガーレバー１５の上端部の２又状枢着部１５Ａを両回転軸５１に回動自在に枢着している。トリガーレバー１５の枢着部１５Ａに設けた孔５２をトリガーボディ１４の回転軸５１に係入する。
【００１８】
本実施形態によれば以下の作用がある。
▲１▼トリガーレバー１５をトリガーボディ１４に枢着させたから、トリガーレバー１５の引き操作に基づく回転モーメントが、ノズル２０側の連結筒１９に及ぶことがない。このため、ノズル２０側の連結筒１９がトリガーボディ１４の射出筒１４Ｃから押出されて外れることがなく、液体を安定的に噴出できる。
【００１９】
▲２▼噴出液が界面活性剤、次亜鉛素酸ナトリウム等を含有するために、接液部材となる射出筒１４Ｃと連結筒１９の嵌合を強くできない場合にも、連結筒１９が射出筒１４Ｃから押出されて外れることを、上述▲１▼の如くに防止できる。
【００２０】
図４は、トリガーレバー１５の枢着構造の他の例である。トリガーレバー１５はトリガーボディ１４を覆うシュラウド３０の内側に配置され、トリガーレバー１５の上端部の２又状枢着部１５Ａに外方へ突き出る回転軸６１を設け、シュラウド３０の両側面３４に該回転軸６１を回動自在に枢着している。シュラウド３０の両側面３４に設けた孔６２にトリガーレバー１５の回転軸６１を係入する。
【００２１】
本実施形態によれば以下の作用がある。
▲１▼トリガーレバー１５をシュラウド３０に枢着させたから、トリガーレバー１５の引き操作に基づく回転モーメントが、ノズル２０側の連結筒１９に及ぶことがない。このため、ノズル２０側の連結筒１９がトリガーボディ１４の射出筒１４Ｃから押出されて外れることがなく、液体を安定的に噴出できる。
【００２２】
▲２▼噴出液が界面活性剤、次亜塩素酸ナトリウム等を含有するために、接液部材となる射出筒１４Ｃと連結筒１９の嵌合を強くできない場合にも、連結筒１９が射出筒１４Ｃから押出されて外れることを、上述▲１▼の如くに防止できる。
【００２３】
尚、シュラウド３０はトリガーボディ１４と別部品化されず、一体成形されても良い。
【００２４】
【発明の効果】
本発明によれば、トリガー式液体噴出器において、トリガーレバーを安定的に支持し、液体を安定的に噴出することができる。
【図面の簡単な説明】
【図１】図１はトリガー式液体噴出器を示す断面図である。
【図２】図２はトリガーレバーの枢着構造を示す斜視図である。
【図３】図３は図１のＩＩＩ−ＩＩＩ線に沿う断面図である。
【図４】図４はトリガーレバーの枢着構造の他の例を示す断面図である。
【符号の説明】
１０  トリガー式液体噴出器
１４  トリガーボディ
１５  トリガーレバー
１５Ａ  枢着部
５１、６１  回転軸
【図１】
2004230346.tif 000003
【図２】
2004230346.tif 000004
【図３】
2004230346.tif 000005
【図４】
2004230346.tif 000006